(57)【要約】【課題】充電器構造の提供。【解決手段】本考案は、筐体１０と、回路基板２０と、電気プラグ３０と、電源出力ユニット４０と、スイッチ５０とを備えた充電器構造である。前記筐体１０上には、開口部１０１が設けてある。前記回路基板２０は、前記筐体１０内に対応して結合している。前記電気プラグ３０は、前記筐体１０下方に結合しており、かつ前記回路基板２０と電気的に接続している。前記電源出力ユニット４０は、前記筐体１０に結合し、かつ前記回路基板２０と電気的に接続している。前記スイッチ５０は、前記筐体１０上の開口部１０１に結合し、前記回路基板２０と電気的に接続し、電源のオンオフを制御する。これにより、使用に便利にし、節電し、使用寿命を延ばす。【選択図】図２
0003152251.tif 000002
【実用新案登録請求の範囲】
【請求項１】
開口部が設けてある筐体と、
該筐体内に対応して結合する回路基板と、
該筐体下方に結合し、かつ該回路基板と電気的に接続する電気プラグと、
該筐体に結合し、かつ該回路基板と電気的に接続する電源出力ユニットと、
該筐体上の開口部に結合し、該回路基板と電気的に接続し、電源のオンオフを制御するスイッチと、を備えた充電器構造。
【請求項２】
該筐体には、上筐体および下筐体が設けてあり、該上筐体と下筐体係とは相互に結合しており、該電気プラグは、該下筐体下方に結合し、該筐体上の開口部は、該上筐体上に設けられ、該スイッチを結合する、請求項１に記載の充電器構造。
【請求項３】
該上筐体上には、ユニバーサルシリアルバス貫通孔が設けてあり、該電源出力ユニットは、少なくとも１つのユニバーサルシリアルバスソケットであり、ユニバーサルシリアルバスソケットを貫通して結合する、請求項２に記載の充電器構造。
【請求項４】
該上筐体一端下方には、溝が形成してあり、該下筐体一端上方には、対応して溝が形成してあり、ユニバーサルシリアルバスソケットを貫通して結合する、請求項３に記載の充電器構造。
【請求項５】
該電源出力ユニットは、ユニバーサルシリアルバスプラグであり、該ユニバーサルシリアルバスプラグは、該筐体に結合し、かつ該回路基板と電気的に接続する、請求項２に記載の充電器構造。
【請求項６】
該上筐体上に窪み部が形成してあり、該窪み部上には、銘板がさらに結合している、請求項２、３、４または５に記載の充電器構造。
【請求項７】
該スイッチ内に、さらに発光素子を設けてランプ指示スイッチとした、請求項１に記載の充電器構造。
【請求項８】
該筐体上に、さらに発光素子を設け、該発光素子は、該スイッチのスイッチ連動制御を受けて、ランプ指示を形成する、請求項１に記載の充電器構造。
【考案の詳細な説明】
【技術分野】
【０００１】
本考案は充電器構造に係り、特に筐体と、回路基板と、電気プラグと、電源出力ユニットと、スイッチとの組み合わせにより設計可能であり、使用に便利で節電および使用寿命延長などの効果を有し、各種充電器構造または類似の構造に適した充電器構造に関する。
【背景技術】
【０００２】
公知の充電器構造は、筐体と、回路基板と、電気プラグと、電源出力ユニット（前記電源出力ユニットは、ユニバーサルシリアルバスソケットとすることも、ユニバーサルシリアルバスプラグとすることも、または他の型式の電源出力コネクタとすることもできる）との組み合わせによりなる。前記回路基板は、前記筐体内に結合し、前記電気プラグは、前記筐体下方に結合し、かつ前記回路基板と電気的に接続する。前記電源出力ユニットは、前記筐体に結合し、かつ前記回路基板と電気的に接続し、充電のために使用する。しかしながら、前記充電器構造は、充電のために使用することができるが、充電器を電気プラグで電源コンセントに挿した後、長時間放置したまま充電しないと、電力を消耗し、無駄になる。または、毎回の充電時に抜き挿しを繰り返すこととなり、使用に不便であり、かつ抜き挿しを繰り返すことにより、破損しやすくなるため、使用寿命が短くなる。そのため、実際の使用上、使用者の必要性に適合しない。
【考案の概要】
【考案が解決しようとする課題】
【０００３】
本考案の主な目的は、筐体と、回路基板と、電気プラグと、電源出力ユニットと、スイッチ（ランプ指示）との組み合わせにより設計し、前記スイッチ（ランプ指示）は、前記筐体上の開口部に結合し、前記回路基板と電気的に接続し、電源のオンオフを制御する充電器構造を提供することである。充電を使用しないときには、スイッチ（ランプ指示）を直接切り、節電の目的を達成し、全体的な使用の実用性を増加させる。
【０００４】
本考案の次の目的は、充電器を電気プラグで電源コンセントに挿した後、結合状態に保つことができ、抜き挿しを繰り返す必要のない充電器構造を提供することである。使用に便利な効果をもたせることにより、全体的な使用の便利さを大幅に向上させる。
【０００５】
本考案のもう１つの目的は、前記スイッチを前記筐体上の開口部に結合し、前記回路基板と電気的に接続し、電源のオンオフを制御することにより、充電器を電気プラグで電源コンセントに挿した後、結合状態に保つことができ、抜き挿しを繰り返す必要のない充電器構造を提供することである。抜き挿しを繰り返すことによる破損を防止し、使用寿命を延ばすことにより、全体的な使用の実用性を大幅に向上することができる。
【課題を解決するための手段】
【０００６】
前記の目的を達成するため、本考案は、筐体と、回路基板と、電気プラグと、電源出力ユニットと、スイッチとを備えた充電器構造である。前記筐体上には、開口部が設けてある。前記回路基板は、前記筐体内に対応して結合している。前記電気プラグは、前記筐体下方に結合しており、かつ前記回路基板と電気的に接続している。前記電源出力ユニットは、前記筐体に結合し、かつ前記回路基板と電気的に接続している。前記スイッチは、前記筐体上の開口部に結合し、前記回路基板と電気的に接続し、電源のオンオフを制御する。これにより、使用に便利にし、節電し、使用寿命を延ばすことにより、全体的な実用性および便利さをもたせる。
【図面の簡単な説明】
【０００７】
【図１】本考案の実施例の立体外観図である。
【図２】本考案の実施例の立体素子分解図である。
【図３】本考案の実施例の結合断面概略図である。
【図４】本考案の実施例の使用状態概略図である。
【図５】本考案のもう１つの実施例の立体外観図である。
【図６】本考案のもう１つの実施例の立体素子分解図である。
【考案を実施するための形態】
【０００８】
本考案の前記およびその他の目的および長所は、下記のとおり選定した実施例の詳細な説明および図面からさらに理解することができる。
【０００９】
当然、本考案は、別の例において、または別の例の配置において、異なるものにすることができるが、選定した実施例について、本説明書について詳細に説明するものとし、図面においてその構造を示す。
以下、本考案の実施の形態を図面に基づいて説明する。
【実施例１】
【００１０】
図１〜図４に示すとおり、本考案は、下記を備えた充電器構造である。
【００１１】
筐体１０。筐体１０上には、開口部１０１が設けてある。筐体１０には、上筐体１１および下筐体１２が設けてあり、上筐体１１と下筐体１２とは相互に結合している。
【００１２】
回路基板２０。回路基板２０は、筐体１０内に対応して結合する。
【００１３】
電気プラグ３０。電気プラグ３０は、筐体１０下方に結合し、かつ回路基板２０と電気的に接続する。
【００１４】
少なくとも１つのユニバーサルシリアルバス（ＵＳＢ：Ｕｎｉｖｅｒｓａｌ  Ｓｅｒｉａｌ  Ｂｕｓ）ソケット４０（すなわち、電源出力ユニット）。少なくとも１つのユニバーサルシリアルバス（ＵＳＢ：Ｕｎｉｖｅｒｓａｌ  Ｓｅｒｉａｌ  Ｂｕｓ）ソケット４０は、筐体１０に結合し、かつ回路基板２０と電気的に接続する。
【００１５】
スイッチ５０。スイッチ５０は、筐体１０上の開口部１０１に結合し、回路基板２０と電気的に接続し、電源のオンオフを制御する。
【００１６】
また、電気プラグ３０は、下筐体１２下方に結合し、筐体１０上の開口部１０１は、上筐体１１上に設けられ、スイッチ５０を結合する。上筐体１１上には、ユニバーサルシリアルバス貫通孔１１１が設けてあり、ユニバーサルシリアルバス（ＵＳＢ：Ｕｎｉｖｅｒｓａｌ  Ｓｅｒｉａｌ  Ｂｕｓ）ソケット４０を貫通して結合する。また、上筐体１１一端下方には、溝１１２が形成してあり、下筐体１２一端上方には、対応して溝１２１が形成してあり、ユニバーサルシリアルバス（ＵＳＢ：Ｕｎｉｖｅｒｓａｌ  Ｓｅｒｉａｌ  Ｂｕｓ）ソケット４０を貫通して結合する。上筐体１１上には、窪み部１１３が形成してあり、窪み部１１３上には、銘板６０がさらに結合している。スイッチ５０内に、さらに発光素子（図には未表示）を設け、ランプ指示スイッチとすることができる。（または筐体１０上に、さらに発光素子を設け、前記発光素子は、スイッチ５０のスイッチ連動制御を受けて、ランプ指示を形成する。）
【００１７】
前記構造により充電器構造を構成し、図１〜図４に示すように、本考案の特徴は、筐体１０と、回路基板２０と、電気プラグ３０と、少なくとも１つのユニバーサルシリアルバスソケット４０と、スイッチ５０との組み合わせにより設計し、スイッチ５０を筐体１０上の開口部１０１に結合し、回路基板２０と電気的に接続し、電源のオンオフを制御する。充電を使用しないときには、スイッチ５０（ランプ指示）を直接切り、節電の目的を達成し、全体的な使用の実用性を増加させる。充電器を電気プラグ３０で電源コンセント７０に挿した後、結合状態に保つことができ、抜き挿しを繰り返す必要がない。使用に便利な効果をもたせることにより、全体的な使用の便利さを大幅に向上させる。スイッチ５０を筐体１０上の開口部１０１に結合し、回路基板２０と電気的に接続し、電源のオンオフを制御することにより、充電器を電気プラグ３０で電源コンセント７０に挿した後、結合状態に保つことができ、抜き挿しを繰り返す必要がない。抜き挿しを繰り返すことによる破損を防止し、使用寿命を延ばすことにより、全体的な使用の実用性を大幅に向上することができる。本考案は、使用に便利で、節電および使用寿命が長いなどの効果を有し、全体的な実用性および便利さを増加させることができる。
【００１８】
本考案は、図１〜図４において、筐体１０と、回路基板２０と、電気プラグ３０と、少なくとも１つのユニバーサルシリアルバスソケット４０と、スイッチ５０との組み合わせで設計されているが、スイッチ５０は、筐体１０上の開口部１０１に結合し、回路基板２０と電気的に接続し、電源のオンオフを制御することにより、充電器を電気プラグ３０で電源コンセント７０に挿し込んだ後、結合状態に保つことができ、抜き挿しを繰り返す必要がない。使用に便利で、使用寿命が長いなどの効果を有するが、実際の使用時は、ユニバーサルシリアルバス（ＵＳＢ：Ｕｎｉｖｅｒｓａｌ  Ｓｅｒｉａｌ  Ｂｕｓ）プラグ８０を少なくとも１つのユニバーサルシリアルバス（ＵＳＢ：Ｕｎｉｖｅｒｓａｌ  Ｓｅｒｉａｌ  Ｂｕｓ）ソケット４０の代わりとすることもできる。同時に、図５〜図６に示すように、本考案は、下記を備えた充電器構造である。
【実施例２】
【００１９】
筐体１０。筐体１０上には、開口部１０１が設けてある。筐体１０には、上筐体１１および下筐体１２が設けてあり、上筐体１１と下筐体１２とは相互に結合している。
【００２０】
回路基板２０。回路基板２０は、筐体１０内に対応して結合する。
【００２１】
電気プラグ３０。電気プラグ３０は、筐体１０下方に結合し、かつ回路基板２０と電気的に接続する。
【００２２】
ユニバーサルシリアルバス（ＵＳＢ：Ｕｎｉｖｅｒｓａｌ  Ｓｅｒｉａｌ  Ｂｕｓ）プラグ８０（すなわち、電源出力ユニット）。ユニバーサルシリアルバス（ＵＳＢ：Ｕｎｉｖｅｒｓａｌ  Ｓｅｒｉａｌ  Ｂｕｓ）プラグ８０は、筐体１０に結合し、かつ回路基板２０と電気的に接続する。
【００２３】
スイッチ５０。スイッチ５０は、筐体１０上の開口部１０１に結合し、回路基板２０と電気的に接続し、電源のオンオフを制御する。
【００２４】
また、電気プラグ３０は、下筐体１２下方に結合し、筐体１０上の開口部１０１は、上筐体１１上に設けられ、スイッチ５０を結合する。上筐体１１上には、窪み部１１３が形成してあり、窪み部１１３上には、銘板６０がさらに結合している。スイッチ５０内に、さらに発光素子（図には未表示）を設け、ランプ指示スイッチとすることができる。（または筐体１０上に、さらに発光素子を設け、前記発光素子は、スイッチ５０のスイッチ連動制御を受けて、ランプ指示を形成する。）
【００２５】
よって、本考案は、筐体１０と、回路基板２０と、電気プラグ３０と、ユニバーサルシリアルバスプラグ８０と、スイッチ５０との組み合わせで設計することもでき、スイッチ５０を筐体１０上の開口部１０１に結合し、回路基板２０と電気的に接続し、電源のオンオフを制御する。充電を使用しないときには、スイッチ５０（ランプ指示）を直接切り、節電の目的を達成し、全体的な使用の実用性を増加させる。充電器を電気プラグ３０で電源コンセント７０に挿した後、結合状態に保つことができ、抜き挿しを繰り返す必要がない。同様に、使用に便利で、節電および使用寿命が長いなどの効果を有する。
【００２６】
前記を総合すると、本考案は、下記を備えた充電器構造である。
【００２７】
筐体１０。筐体１０上には、開口部１０１が設けてある。筐体１０には、上筐体１１および下筐体１２が設けてあり、上筐体１１と下筐体１２とは相互に結合している。
【００２８】
回路基板２０。回路基板２０は、筐体１０内に対応して結合する。
【００２９】
電気プラグ３０。電気プラグ３０は、筐体１０下方に結合し、かつ回路基板２０と電気的に接続する。
【００３０】
電源出力ユニット（前記電源出力ユニットは、少なくとも１つのユニバーサルシリアルバスソケット４０とすることも、ユニバーサルシリアルバスプラグ８０とすることも、またはその他の型式の電源出力コネクタとすることもできる）。前記電源出力ユニットは、筐体１０に結合し、かつ回路基板２０と電気的に接続する。
【００３１】
スイッチ５０。スイッチ５０は、筐体１０上の開口部１０１に結合し、回路基板２０と電気的に接続し、電源のオンオフを制御する。
【００３２】
以上の詳細な説明により、当業者は、本考案が前記目的を確実に達成可能であることを理解し、実用新案法の規定要件に適合しているため、実用新案登録出願を行う次第である。
【００３３】
しかしながら、前記の内容は、本考案の好ましい実施例でしかなく、本考案の実施の範囲を限定するものではない。そのため、本考案の実用新案登録請求の範囲および考案の明細書の内容により行われた簡単な同等の変更および修正は、いずれも本考案で網羅される範囲内に属するものとする。
【符号の説明】
【００３４】
１０      筐体
１０１    開口部
１１      上筐体
１１１    ユニバーサルシリアルバス貫通孔
１１２    溝
１１３    窪み部
１２      下筐体
１２１    溝
２０      回路基板
３０      電気プラグ
４０      ユニバーサルシリアルバスソケット
５０      スイッチ
６０      銘板
７０      電源コンセント
８０      ユニバーサルシリアルバスプラグ
【図１】
0003152251.tif 000003
【図２】
0003152251.tif 000004
【図３】
0003152251.tif 000005
【図４】
0003152251.tif 000006
【図５】
0003152251.tif 000007
【図６】
0003152251.tif 000008